(57)【要約】パーソナル美容機器システムであって、前記パーソナル美容機器システムは、パーソナル美容機器を含む。前記パーソナル美容機器は、メインユニットを備え、前記メインユニットは、着脱可能ユニットと接続するように物理的に構成される。前記着脱可能ユニットは、ユーザーの体の一部に美容トリートメントを行うように構成された美容アプリケータと、着脱可能ユニット通信インターフェイスを備える。前記メインユニットは、メインユニット通信インターフェイスを備え、前記メインユニット通信インターフェイスは、着脱可能ユニット通信インターフェイスと通信可能に接続し、着脱可能ユニットと情報を送受信するよう構成され、かつ、着脱可能ユニット通信インターフェイスとメインユニット通信インターフェイスのうちの少なくとも１つは、パーソナル美容機器に関連付けられたクライアントデバイスと通信可能に接続されるよう構成される。
2020519051.tif 000002
【特許請求の範囲】
【請求項１】
パーソナル美容機器であって、
着脱可能ユニットとメインユニットとを備え、
前記着脱可能ユニットは、ユーザーの体の一部に美容トリートメントを行うよう構成された美容アプリケータと、アプリケータ通信インターフェイスとを備え、
前記メインユニットはメインユニット通信インターフェイスを備え、
前記メインユニット通信インターフェイスは、物理的にかつ通信可能に前記アプリケータ通信インターフェイスと接続し、前記着脱可能ユニットにデータを送信するか、又は、前記着脱可能ユニットからデータを受信するように構成される、
パーソナル美容機器。
【請求項２】
請求項１に記載のパーソナル美容機器であって、前記メインユニットは、前記着脱可能ユニットに関連づけられた１つ又は複数のコンポーネントに電力を送信するように構成される、パーソナル美容機器。
【請求項３】
請求項１に記載のパーソナル美容機器であって、前記メインユニットは、前記着脱可能ユニットにセンサー情報を送信するか、又は、前記着脱可能ユニットからセンサー情報を受信するように構成される、パーソナル美容機器。
【請求項４】
請求項１に記載のパーソナル美容機器であって、前記メインユニットは、クライアントと通信し、かつ、前記クライアントデバイスと情報を交換するように動作可能な、受信機コンポーネント、送受信機コンポーネント、及び送信機コンポーネントのうちの少なくとも１つを備える、パーソナル美容機器。
【請求項５】
請求項１に記載のパーソナル美容機器であって、前記メインユニットは、前記メインユニット又は前記着脱可能ユニットと、離れた箇所にある企業とがお互いを識別し、１つ又は複数の事前共有キーをネゴシエートできるようにするディスカバリプロトコルを作動するように構成された回路を含む、パーソナル美容機器。
【請求項６】
請求項１に記載のパーソナル美容機器であって、前記メインユニットは、前記メインユニット又は前記着脱可能ユニットと、リモートネットワークとが、暗号化かつ匿名化された情報を交換できるようにするディスカバリプロトコルを作動するように構成された回路を含む、パーソナル美容機器。
【請求項７】
請求項１に記載のパーソナル美容機器であって、前記メインユニットは、前記メインユニット又は前記着脱可能ユニットと、リモートネットワークとが、トリートメントレジメン情報を交換できるようにするディスカバリプロトコルを作動するように構成された回路を含む、パーソナル美容機器。
【請求項８】
請求項１に記載のパーソナル美容機器であって、前記メインユニットは、前記メインユニットに対して相対的な繰り返し運動をさせるために前記美容アプリケータを駆動するモーターを備え、前記着脱可能ユニット通信インターフェイス及び前記メインユニット通信インターフェイスは、ともに前記繰り返し運動をさせるための前記モーターによって駆動される要素上に配置される、パーソナル美容機器。
【請求項９】
請求項１に記載のパーソナル美容機器であって、前記メインユニット通信インターフェイスは少なくとも１つの導電ピンであり、前記着脱可能ユニット通信インターフェイスは、前記少なくとも１つの導電ピンを受けるように構成される、少なくとも１つの導電ソケットである、パーソナル美容機器。
【請求項１０】
請求項１に記載のパーソナル美容機器であって、メインユニット通信インターフェイスと前記着脱可能ユニット通信インターフェイスが磁石である、パーソナル美容機器。
【請求項１１】
請求項１０に記載のパーソナル美容機器であって、前記メインユニット通信インターフェイス及び前記着脱可能ユニット通信インターフェイスのうちの少なくとも一つの前記磁石は、移動可能に構成され、それに対して磁力が加えられていないときは、第１の位置にとどまり、それに対して磁力が加えられたとき、第２の位置まで到達し、他方の通信インターフェイスの磁石に接触するように構成される、パーソナル美容機器。
【請求項１２】
パーソナル美容アプリケータであって、
着脱可能ユニットを備え、
前記着脱可能ユニットは、ユーザーの体の一部で美容トリートメントを行うように構成された美容アプリケータを備え、
前記着脱可能ユニットは、
前記着脱可能ユニットをパーソナル美容機器に物理的に接続するための接続構造と、
前記パーソナル美容機器と通信可能に接続し、前記パーソナル美容機器とデータ及び電力を交換するように構成された回路を含む、着脱可能ユニット通信インターフェイスとを備える、
パーソナル美容アプリケータ。
【請求項１３】
請求項１２に記載のパーソナル美容アプリケータであって、前記着脱可能ユニット通信インターフェイスは、前記パーソナル美容アプリケータとクライアントデバイスとがお互いを識別し、安全な通信を確立することができる、安全なプロトコルを確立するように構成された回路を含む、パーソナル美容アプリケータ。
【請求項１４】
請求項１２に記載のパーソナル美容アプリケータであって、前記着脱可能ユニット通信インターフェイスが、リモートネットワークと、暗号化かつ匿名化された情報を交換するように構成された回路を含む、パーソナル美容アプリケータ。
【請求項１５】
請求項１２に記載のパーソナル美容アプリケータであって、前記着脱可能ユニット通信インターフェイスは、リモートネットワークと制御コマンドを交換するように構成された回路を含む、パーソナル美容アプリケータ。
【請求項１６】
請求項１２に記載のパーソナル美容アプリケータであって、前記着脱可能ユニット通信インターフェイスは、クライアントデバイスと診断情報を交換するように構成された回路を含む、パーソナル美容アプリケータ。
【請求項１７】
パーソナル美容機器システムであって、
パーソナル美容機器を含み、
前記パーソナル美容機器は、メインユニットを備え、
前記メインユニットは、着脱可能ユニットと接続するように物理的に構成され、
前記着脱可能ユニットは、ユーザーの体の一部で美容トリートメントを行うように構成された美容アプリケータと、着脱可能ユニット通信インターフェイスとを備え、
前記メインユニットは、メインユニット通信インターフェイスを備え、
前記メインユニット通信インターフェイスは、
前記着脱可能ユニット通信インターフェイスと通信可能に接続して、前記着脱可能ユニットに情報を送受信するように構成され、かつ、
前記着脱可能ユニット通信インターフェイスと前記メインユニット通信インターフェイスのうちの少なくとも１つを、前記パーソナル美容機器に関連付けられたクライアントデバイスに通信可能に接続するように構成された、回路を含む、
パーソナル美容機器システム。
【請求項１８】
請求項１７に記載のパーソナル美容システムであって、前記メインユニット通信インターフェイスは、安全なプロトコルを確立し、前記クライアントデバイスと、暗号化かつ匿名化された情報を交換するように構成された回路を含む、パーソナル美容システム。
【請求項１９】
請求項１７に記載のパーソナル美容システムであって、前記メインユニット通信インターフェイスは、前記着脱可能ユニットとセンサー情報を交換するように構成される回路を含む、パーソナル美容システム。
【請求項２０】
請求項１９に記載のパーソナル美容システムであって、前記メインユニットの回路は、前記クライアントデバイスに表示するために、前記クライアントデバイスに前記センサー情報を送信するように構成される、パーソナル美容システム。
【請求項２１】
請求項１７に記載のパーソナル美容システムであって、前記メインユニット通信インターフェイスは、美容アプリケータに関連付けられた着脱可能ユニットと制御情報を交換するように構成された回路を含む、パーソナル美容システム。
【請求項２２】
請求項１７に記載のパーソナル美容システムであって、前記メインユニットは、前記クライアントデバイスからデータを受信し、受信した前記データを処理するように構成される、パーソナル美容システム。
【請求項２３】
請求項２２に記載のパーソナル美容システムであって、前記クライアントデバイスから受信した前記データは、前記パーソナル美容機器の前記メインユニットの動作を制御するためのコマンド又は制御データである、請求項２２に記載のパーソナル美容システム。
【請求項２４】
請求項１７に記載のパーソナル美容システムであって、前記メインユニットは、前記クライアントデバイスからデータを受信し、前記着脱可能ユニットでデータを処理するために、前記メインユニット通信インターフェイスを介して前記着脱可能ユニットに前記データを送信するように構成される、パーソナル美容システム。
【請求項２５】
請求項２４に記載のパーソナル美容システムであって、前記クライアントデバイスから受信した前記データは、前記パーソナル美容機器の前記着脱可能ユニットの動作を制御するためのデータである、パーソナル美容システム。
【請求項２６】
請求項２４に記載のパーソナル美容システムであって、前記着脱可能ユニットは少なくとも１つのセンサーを含み、前記クライアントデバイスから受信した前記データは、前記センサーを制御するためのものである、パーソナル美容システム。
【請求項２７】
請求項２６に記載のパーソナル美容システムであって、前記センサーを制御するために前記クライアントデバイスから受信した前記データは、前記着脱可能ユニット通信インターフェイスを介して、前記着脱可能ユニットから、クライアントデバイスに前もって送信されたセンサーデータによってトリガーされる、パーソナル美容システム。
【請求項２８】
請求項２４に記載のパーソナル美容システムであって、前記着脱可能ユニットはメモリを含み、前記クライアントデバイスから受信した前記データは、前記メモリからデータを取得するためのものである、パーソナル美容システム。
【請求項２９】
請求項１７に記載のパーソナル美容システムであって、前記メインユニットが、無線接続を介してクライアントデバイスに通信可能に接続される、パーソナル美容システム。
【請求項３０】
パーソナル美容機器システムによって実行される方法であって、
前記パーソナル美容機器システムは、パーソナル美容機器とクライアントデバイスを含み、
前記パーソナル美容機器は、メインユニットを含み、
前記メインユニットは着脱可能ユニットと接続するように物理的に構成され、
前記着脱可能ユニットは、ユーザーの体の一部に美容トリートメントを行うように構成された美容アプリケータと、着脱可能ユニット通信インターフェイスとを備え、
前記方法は、
前記メインユニットの回路により、前記着脱可能ユニット通信インターフェイスを通信可能に接続し、前記着脱可能ユニットと情報を送受信する工程、
前記メインユニットの回路により、前記パーソナル美容機器に関連付けられたクライアントデバイスに、前記着脱可能ユニット通信インターフェイスと前記メインユニット通信インターフェイスのうちの少なくとも１つを、通信可能に接続する工程、
を含む、方法。
【請求項３１】
請求項３０に記載の方法であって、安全なプロトコルを確立し、クライアントデバイスと、暗号化かつ匿名化された情報を交換する工程をさらに含む、方法。
【請求項３２】
請求項３０に記載の方法であって、前記着脱可能ユニットと、センサー情報を交換する工程をさらに含む、方法。
【請求項３３】
請求項３２記載の方法であって、前記メインユニットの前記回路は、前記クライアントデバイスに表示するために、前記クライアントデバイスに前記センサー情報を送信するように構成される、方法。
【請求項３４】
請求項３０に記載の方法であって、前記着脱可能ユニットと、制御情報を交換する工程をさらに含む、方法。
【請求項３５】
請求項３０記載の方法であって、前記クライアントデバイスからデータを受信する工程、及び、受信した前記データを処理する工程をさらに含む、方法。
【請求項３６】
請求項３０に記載の方法であって、前記クライアントデバイスからデータを受信する工程、前記着脱可能ユニットで前記データを処理するために、前記メインユニット通信インターフェイスを介して、前記着脱可能ユニットに前記データを送信する工程をさらに含む、方法。
【発明の詳細な説明】
【技術分野】
【０００１】
関連出願への相互参照
この出願は、２０１７年３月３１日に提出された米国非仮出願第１５／４７６、０３７号及び第１５／４７６、１５１号のそれぞれから生じる優先権の利益を主張し、それぞれの内容の全体が参照により本明細書に組み込まれる。
【背景技術】
【０００２】
本開示は、美容機器の親機と子機との間の、通信及び電力のための接続を提供するインターフェイスを備えた、美容機器システムについて説明するものである。
【発明の概要】
【０００３】
要約
一実施形態において、パーソナル美容機器が提供される。パーソナル美容機器は、着脱可能ユニットと、メインユニットとを備える。着脱可能ユニットは、ユーザーの体の一部に美容トリートメントを行うように構成された美容アプリケータと、アプリケータ通信インターフェイスとを備える。メインユニットは、物理的にかつ通信可能にアプリケータ通信インターフェイスと接続し、着脱可能ユニットにデータを送信するか、又は、着脱可能ユニットからデータを受信するように構成されたメインユニット通信インターフェイスを備える。
【０００４】
一実施形態において、メインユニットは、着脱可能ユニットに関連づけられた１つ又は複数のコンポーネントに電力を送信するように構成される。
【０００５】
一実施形態において、メインユニットは、着脱可能ユニットにセンサー情報を送信するか、又は、着脱可能ユニットからセンサー情報を受信するように構成される。
【０００６】
一実施形態において、メインユニットは、クライアントと通信し、クライアントデバイスと情報を交換するように動作可能な、受信機コンポーネント、送受信機コンポーネント、及び送信機コンポーネントのうちの少なくとも１つを備える。
【０００７】
一実施形態において、メインユニットは、メインユニット又は着脱可能ユニットと、離れた箇所にある企業とがお互いを識別し、１つ又は複数の以上の事前共有キーをネゴシエートできるようにするディスカバリプロトコルを作動するように構成された回路を含む。
【０００８】
一実施形態において、メインユニットは、メインユニット又は着脱可能ユニットと、リモートネットワークとが、暗号化かつ匿名化された情報の交換できるようにするディスカバリプロトコルを作動するように構成された回路を含む。
【０００９】
一実施形態において、メインユニットは、メインユニット又は着脱可能ユニットと、リモートネットワークとがトリートメントレジメン情報を交換できるようにするディスカバリプロトコルを作動するように構成された回路を含む。
【００１０】
一実施形態において、メインユニットは、メインユニットに対し相対的な繰り返し運動をさせるために美容アプリケータを駆動するモーターを備え、着脱可能ユニット通信インターフェイス及びメインユニット通信インターフェイスは、ともに繰り返し運動をさせるためのモーターによって駆動される要素上に配置される。
【００１１】
一実施形態において、メインユニット通信インターフェイスは少なくとも１つの導電ピンであり、着脱可能ユニット通信インターフェイスは、少なくとも１つの導電ピンを受けるように構成される、少なくとも１つの導電ソケットである。
【００１２】
一実施形態において、メインユニット通信インターフェイスと着脱可能ユニット通信インターフェイスは磁石である。
【００１３】
一実施形態において、メインユニット通信インターフェイス及び着脱可能ユニット通信インターフェイスの少なくとも一つの磁石は、移動可能に構成され、それに対して磁力が加えられていないときは、第１の位置にとどまり、それに対して磁力が加えられたときは、第２の位置まで到達し、他方の通信インターフェイスの磁石に接触するように構成される。
【００１４】
一実施形態において、パーソナル美容アプリケータが提供され、パーソナル美容アプリケータは着脱可能ユニットを備える。着脱可能ユニットは、ユーザーの体の一部で美容トリートメントを行うように構成された美容アプリケータを含む。着脱可能ユニットは、着脱可能ユニットをパーソナル美容機器に物理的に接続するための接続構造と、パーソナル美容機器と通信可能に接続し、パーソナル美容機器とデータ及び電力を交換するように構成される回路を含む着脱可能ユニット通信インターフェイスとを備える。
【００１５】
一実施形態において、着脱可能ユニット通信インターフェイスは、パーソナル美容アプリケータとクライアントデバイスとがお互いを識別し、安全な通信を確立できる、安全なプロトコルを確立するように構成された回路を含む。
【００１６】
一実施形態において、着脱可能ユニット通信インターフェイスは、暗号化かつ匿名化された情報を、リモートネットワークと交換するように構成された回路を含む。
【００１７】
一実施形態において、着脱可能ユニット通信インターフェイスは、リモートネットワークと制御コマンドを交換するように構成された回路を含む。
【００１８】
一実施形態において、パーソナル美容機器システムが提供され、パーソナル美容機器システムはパーソナル美容機器を含み、パーソナル美容機器は、メインユニットを備える。メインユニットは、着脱可能ユニットと接続するように物理的に構成される。着脱可能ユニットは、ユーザーの体の一部で美容トリートメントを行うように構成される美容アプリケータと、着脱可能ユニット通信インターフェイスとを備える。メインユニットは、メインユニット通信インターフェイスを備える。メインユニット通信インターフェイスは回路を有し、該回路は、着脱可能ユニット通信インターフェイスと通信可能に接続して、着脱可能ユニットと情報を送受信するように構成され、かつ、パーソナル美容機器に関連付けられたクライアントデバイスに、着脱可能ユニット通信インターフェイスとメインユニット通信インターフェイスのうちの少なくとも１つを、通信可能に接続するように構成される。
【００１９】
一実施形態において、メインユニット通信インターフェイスは、安全なプロトコルを確立し、クライアントデバイスと暗号化かつ匿名化された情報を交換するように構成された回路を含む。
【００２０】
一実施形態において、メインユニット通信インターフェイスは、着脱可能ユニットとセンサー情報を交換するように構成された回路を含む。
【００２１】
一実施形態において、メインユニットの回路は、クライアントデバイスに表示するために、クライアントデバイスにセンサー情報を送信するように構成される。
【００２２】
一実施形態において、メインユニット通信インターフェイスは、美容アプリケータに関連付けられた着脱可能ユニットと制御情報を交換するように構成された回路を含む。
【００２３】
一実施形態において、メインユニットは、クライアントデバイスからデータを受信し、受信したデータを処理するように構成される。
【００２４】
一実施形態において、クライアントデバイスから受信したデータは、パーソナル美容機器のメインユニットの動作を制御するためのコマンド又は制御データである。
【００２５】
一実施形態において、メインユニットは、着脱可能ユニットでデータを処理するために、クライアントデバイスからデータを受信し、メインユニット通信インターフェイスを介して、着脱可能ユニットにデータを送信するように構成される。
【００２６】
一実施形態において、クライアントデバイスから受信したデータは、パーソナル美容機器の着脱可能ユニットの動作を制御するためのデータである。
【００２７】
一実施形態において、着脱可能ユニットは少なくとも１つのセンサーを含み、クライアントデバイスから受信したデータは、センサーを制御するためのものである。
【００２８】
一実施形態において、センサーを制御するためにクライアントデバイスから受信したデータは、着脱可能ユニットから、着脱可能ユニット通信クライアントを介して、クライアントデバイスに前もって送信されたセンサーデータによってトリガーされる。
【００２９】
一実施形態において、着脱可能ユニットはメモリを含み、クライアントデバイスから受信したデータはメモリからデータを取得するためのものである。
【００３０】
一実施形態において、メインユニットは、無線接続を介してクライアントデバイスに通信可能に接続される。
【００３１】
一実施形態において、パーソナル美容機器システムによって実行される方法が提供される。パーソナル美容機器システムは、パーソナル美容機器とクライアントデバイスを含み、パーソナル美容機器は、メインユニットを含み、メインユニットは着脱可能ユニットと物理的に接続するように構成される。着脱可能ユニットは、ユーザーの体の一部に美容トリートメントを行うように構成された美容アプリケータと、着脱可能ユニット通信インターフェイスとを備える。方法は、メインユニットの回路により、着脱可能ユニット通信インターフェイスと通信可能に接続し、着脱可能ユニットと情報を送受信する工程、及び、メインユニットの回路により、パーソナル美容機器に関連付けられたクライアントデバイスに、着脱可能ユニット通信インターフェイスとメインユニット通信インターフェイスのうちの少なくとも１つを、通信可能に接続する工程を含む。
【００３２】
一実施形態において、方法は、安全なプロトコルを確立し、暗号化かつ匿名化された情報をクライアントデバイスと交換する工程をさらに含む。
【００３３】
一実施形態において、方法は、着脱可能ユニットとセンサー情報を交換する工程をさらに含む。
【００３４】
一実施形態において、メインユニットの回路は、クライアントデバイスに表示するために、センサー情報をクライアントデバイスに送信するように構成される。
【００３５】
一実施形態において、方法は、着脱可能ユニットと制御情報を交換する工程をさらに含む。
【００３６】
一実施形態において、方法は、クライアントデバイスからデータを受信する工程、及び、受信したデータを処理する工程をさらに含む。
【００３７】
一実施形態において、方法は、クライアントデバイスからデータを受信する工程、着脱可能ユニットでデータを処理するために、メインユニット通信インターフェイスを介して、データを着脱可能ユニットに送信する工程をさらに含む。
【図面の簡単な説明】
【００３８】
本特許又は出願ファイルには、少なくとも１つのカラーで作成された図面が含まれる。カラー図面を含む本特許又は特許出願公開のコピーは、請求及び必要とされる料金の支払いに応じて、庁によって提供される。添付の図面と関連づけて考慮する場合、以下の詳細な説明を参照することにより、同じことがよりよく理解されるようになり、本実施形態のより完全な理解、及びこれに付随する利点の多くがより容易に理解されるであろう。
【図１Ａ】図１Ａは、一実施形態に係るパーソナル美容機器及びそのコンポーネントを示す。
【図１Ｂ】図１Ｂは、一実施形態に係るパーソナル美容機器及びそのコンポーネントを示す。
【図２Ａ】図２Ａは、一実施形態に係るパーソナル美容機器の着脱可能ユニットの詳細を示す。
【図２Ｂ】図２Ｂは、一実施形態に係るパーソナル美容機器の着脱可能ユニットの詳細を示す。
【図３】図３は、一実施形態に係る、着脱可能ユニットを収容する、メインユニットにおける収容ユニットの詳細を示す。
【図４】図４は、一実施形態に係る、収容ユニットを取り付けた状態の着脱可能ユニットの断面図を示す。
【図５】図５は、一実施形態に係るメインユニットのハードウエアコンポーネントを示す。
【図６Ａ】図６Ａは、一実施形態に係る着脱可能ユニットのハードウエアコンポーネントを示す。
【図６Ｂ】図６Ｂは、一実施形態に係る着脱可能ユニットのハードウエアコンポーネントを示す。
【図７Ａ】図７Ａは、一実施形態に係る、上記したパーソナル美容機器１００と、クライアントデバイスとを含む、システム７００を示す。
【図７Ｂ】図７Ｂは、実施形態に係る、クライアントデバイスの別の例を示す。
【図７Ｃ】図７Ｃは、一実施形態に係るパーソナル美容機器の最適な性能を促進するための、システムの一例を示す。
【図７Ｄ】図７Ｄは、一実施形態に係るクライアントデバイスと着脱可能ユニットの間の、接続パッチを示す。
【図８】図８は、一実施形態に係る、着脱可能ユニットの回路によって実行される方法を示す。
【図９Ａ】図９Ａは、一実施形態に係るメインユニットの回路によって実行される異なる方法を示す。
【図９Ｂ】図９Ｂは、一実施形態に係るメインユニットの回路によって実行される異なる方法を示す。
【図１０Ａ】図１０Ａは、実施形態に係る、クライアントデバイスとメインユニットの間で実行される方法を示す。
【図１０Ｂ】図１０Ｂは、実施形態に係る、クライアントデバイスとメインユニットの間で実行される方法を示す。
【図１０Ｃ】図１０Ｃは、実施形態に係る、クライアントデバイスとメインユニットの間で実行される方法を示す。
【図１１Ａ】図１１Ａは、一実施形態に係る、磁気的接続メカニズムによる着脱可能ユニットとメインユニットの間の代替接続メカニズムを示す。
【図１１Ｂ】図１１Ｂは、一実施形態に係る、磁気的接続メカニズムによる着脱可能ユニットとメインユニットの間の代替接続メカニズムを示す。
【発明を実施するための形態】
【００３９】
詳細な説明
本開示では、システム、機器、及び方法が説明され、ここで、特定の機能を提供するために、パーソナル美容機器のメインユニットと、メインユニットに接続する着脱可能ユニットとの間に、通信インターフェイスが提供される。
【００４０】
図１Ａは、一実施形態に係る、パーソナル美容機器１００を示す。機器１００は、メインユニット１０１と着脱可能ユニット１０２を含む。図１に示されるパーソナル美容機器１００は、着脱可能ユニット１０２上に示されるような三頭マッサージアプリケータを用いて、ユーザーの肌をマッサージ及び／又はクレンジングするために用いられる。メインユニットは、着脱可能ユニット１０２を含むデバイス全体の、電力と制御を供する。図１Ａには、この特定の種類のパーソナル美容機器を示すが、クレームはこの特定の種類の機器に限定されず、メインユニットと着脱可能ユニットとを含む、他の種類のパーソナル美容機器にも適用することができる。
【００４１】
メインユニット１０１は、機器１００の作動構造を収容する。図１Ｂにブロック図の形で示されるように、一実施形態の作動構造は、モーターアセンブリ１１２、充電式バッテリー等の蓄電源１１６、及び制御部１５０を含む。制御部１５０は、駆動制御部１５２と通信部１５４とを含む。一態様では、制御部１５０は、電力を蓄電源１１６からモーターアセンブリ１１２に選択的に接続するように構成及び配置されたオン／オフボタン１３２によって制御することができる。蓄電源１１６は、機器に接続されたケーブル（図示せず）によって供給される電力によって充電することができる。他の実施形態では、蓄電源１１６は、ｐＬｉｎｋ充電システム、誘導性Ｑｉ充電システム及びＡｉｒＦｕｅｌを含む、任意の無線手段によって、充電することができる。ワイヤレス充電ステータスは、機器又は中央デバイス上にインジケータとして表示することができる。図１Ｂは、パーソナル美容機器１００のコンポーネントの概念図を表す。メインユニットと着脱可能ユニットの両方の、より詳細なハードウェア図を以下に説明する。
【００４２】
図１Ｂは、一実施形態に係る、アラート部、インジケータ、又はディスプレイ１６０をさらに含む機器１００を示す。以下で詳細に説明するように、アラート部は、着脱可能ユニットから受信したデータを含む機器の動作に関連する任意の情報に基づいて、ユーザーにアラートを発するように構成することができる。アラートは、音、視覚アラート、又は、振動若しくは触覚フィードバックとすることができる。一態様では、インジケータ及び／又はディスプレイは、一実施形態に係る機器１００を、どこでどのように使用するかに関するルーチン等を、ユーザーと通信するように構成することができる。一態様では、ディスプレイはタッチディスプレイとすることができ、ユーザーからの入力を受け取るように構成することができる。ディスプレイ１６０の機能は、ディスプレイを有する外部クライアントデバイス（スマートフォンデバイス等）によって実行されてもよい。このようなクライアントデバイスについては、以下でより詳細に説明する。
【００４３】
いくつかの実施形態において、モーターアセンブリ１１２は、駆動シャフト又はアーマチュア１１４を介して、着脱可能ユニットを駆動する電気駆動モーター１１３を備える。着脱可能ユニットがメインユニットに取り付けられたとき、モーターアセンブリ１１２は、着脱可能ユニットを動作させるように構成される。モーターアセンブリ１１２は、音周波数で、典型的には８０〜３００Ｈｚの範囲で、着脱可能ユニットを振動させるように構成することができ、３〜２０度の範囲又は振幅内でブラシヘッド１２０を前後に振動させる。
【００４４】
図２Ａ−２Ｂは、着脱可能ユニット１０２の詳細を示す。図２Ａは、着脱可能ユニット１０２の断面を示す。図２Ｂは着脱可能ユニット１０２の分解図を示す。着脱可能ユニット１０２は、美容ヘッド部２０２に挿入される皮膚接触部２０１を含む。美容ヘッド部は、アプリケータの上部ハウジング２０３と下部ハウジング２０５との「サンドイッチ」によって所定の位置に保持される。慣性質量体２０４が着脱可能ユニットに加えられ、モーターアセンブリが特定の振動周波数でアプリケータアセンブリを駆動できるようになる。さらに、ステージ２０６は電子ジャック又はピンコネクタ２０８を支持し、ネジ２０７を介してインターフェイス部２０５に取り付けられている。ステージ２０６は、ソケット形体２１０をさらに備え、それを貫通してピン受けが配置される。また、インターフェイス部２０５は、脚部２０９を含む。
【００４５】
図３は、着脱可能ユニット１０２を収容する、メインユニットにおける収容ユニット３００の詳細を示す。収容ユニット３００は、少なくとも１つの開口部を含む上部支持体３０１を備え、それを貫通して接続ピン３０２が配置される。上部支持体は、ネジ３０４で下部支持体３０３に接続される。上部支持体と下部支持体は、メインユニットに取り付けられた、モーターハブ３０６に取り付けられている。
【００４６】
図４は、収容ユニット３００で取り付けられた状態の着脱可能ユニットの断面を示す。着脱可能ユニット１０２のインターフェイス部２０５の脚部２０９は、収容ユニット３００のハウジング３０６を収容していることが分かる。収容ユニットの上部支持体３０１は、ステージ２０６のソケット２１０を収容する。したがって、モータユニット３０５におけるモータの回転又は振動は、ソケット２１０とステージ２０６の接続を介して着脱可能ユニットに転送される。さらに、ピン３０２は、ソケット２１０に埋め込まれたピンコネクタ／プラグ２０８と係合する。ワイヤ４０１をピン３０２に取り付けて、ピンを、メインユニット１０１の電源及び処理回路に接続することができる。ワイヤは、ピンと収容ユニットのハウジング３０６の間に存在する空間４０２を通って接続される。この空間４０２は、ピンが、着脱可能ユニットの構成要素とともに、必要に応じて（約３〜２０°の角度の範囲で）振動する間、ワイヤ４０１にたるみを供するように構成される。これは、当技術分野で理解されるように、単一ピンインターフェイスとして示される。しかし、クレームされた発明は、この特定の種類のインターフェイスに限定されず、マルチピンインターフェイスとすることもできる。
【００４７】
ピン３０２とピンコネクタ２０８の間の接続は、メインユニット１０１と着脱可能ユニット１０２の間のデータ通信できるようにする電気的接続を形成する。ピン３０２とピンコネクタ２０８の間のインターフェイスを介してデータを送受信するために使用される通信プロトコルの種類は、当技術分野において理解されるものであり、例えば、Ｉ２Ｃ（「アイ・スクエアド・シー」プロトコル）、ＳＰＩ（「シリアル・ペリフェラル・インターフェイス」プロトコル）又は単線インターフェイスとすることができる。
【００４８】
図５及び６は、メインユニットと着脱可能ユニットで用いられるハードウェアのブロック図を、それぞれ示す。
【００４９】
図５は、メインユニットのハードウェアが、マイクロコントローラ／プロセッサ５０１、電源５０２、及びメモリ５０３を含むことができることを示す。メインユニットのプロセッサ５０１は、上記のピン３０２に接続されており、着脱可能ユニットとのインターフェイスとして機能する。メインユニットは、美容機器の外部のデバイス又はネットワークと通信するための外部通信インターフェイス５０４をさらに含むことができる。メインユニットは、ユーザーに信号又はデータを出力するために、出力インジケータ５０５を含むことができる。出力インジケータは、１つ又は複数のＬＥＤインジケータライト等のライトインジケータ、オーディブルインジケータ、及び／又は、情報を表示するディスプレイ画面とすることができる。ユーザーインターフェイス５０６は、ユーザーが入力を行うための美容機器上の領域である。ユーザーインターフェイス５０６は、入力ボタン形式とすることも、タッチセンサー式ディスプレイ画面とすることもできる。
【００５０】
一実施形態において、通信インターフェイス（Ｉ／Ｆ）５０４は、クライアントデバイスと通信するための回路及びハードウェアを含むことができる（以下により詳細に説明する）。通信インターフェイス５０４は、ネットワークとインターフェイス接続するために、Ｂｒｏａｄｃｏｍ製のブルートゥース（登録商標）コンボチップ、ＢＣＭ４３３４２Ｗｉ−Ｆｉ、周波数変調等のネットワーク制御部を含むことができる。マイクロコントローラ／プロセッサ５０１に係るハードウェアは、サイズを小さくするように設計することができる。例えば、プロセッサ５０１は、当技術分野で理解されるＣＰＵとすることができる。例えば、プロセッサは、Ａｐｐｌｅ社のＡＰＬ０７７８とすることができ、又は当業者によって理解され得る他の種類のプロセッサであってもよい。あるいは、ＣＰＵは、当業者が認識できるような、ＦＰＧＡ、ＡＳＩＣ、ＰＬＤ、組み込みプロセッサとして、又はディスクリート論理回路を用いて、実装されてもよい。さらに、ＣＰＵは、上記の本発明のプロセスの命令を実行するために並行して協働する複数のプロセッサとして実装されてもよい。クライアントデバイスは、上記と同様のハードウェアと回路とを備えることもできる。
【００５１】
図６は、着脱可能ユニットのハードウェアが、センサー又は検知回路６０１、及びメモリ６０２を含むことを示す。検知回路６０１は、上記したように、メインユニットとのインターフェイスとして機能する、ピンコネクタ２０８に接続される。検知回路６０１は、データを保存、ソート、評価、又は分析することによりデータを前処理し、コネクタを介してデータをメインユニットに送信する追加のマイクロプロセッサ（図示せず）を含むことができる。ここで、データは、さらに処理され、次に、アプリケーション、クラウドシステム、又はその他の送信先に送信される可能性がある。
【００５２】
図６Ｂは、図２Ａの図面を参照し、着脱可能ユニットのハードウェアがどのように配置することができるかを示す。具体的には、検知回路６０１及びメモリ６０２は、プリント回路基板（ＰＣＢ）上の集積回路コンポーネントとして美容ヘッド部２０２に配置することができ、検知回路は、ワイヤ６０３を介して、ピンコネクタ２０８との有線接続を有することができる。
【００５３】
特に、ピン３０２とピンコネクタ２０８は両方とも、共に振動する収容ユニットと着脱可能ユニットの可動部に埋め込まれている。これは、センサーからピンまでの接続のすべてを、接続構造の振動部内とすることができるため、利点である。このように、固定部の構造と振動部の構造との間の接続を可能にするのに必要な任意のスラックを、完全に機器のメインユニット内に収めることができ、それにより着脱可能ユニットの設計における柔軟性が向上する。
【００５４】
上記のハードウェアの実施形態で用いられるメモリは、当技術分野で理解される種類のメモリとすることができる。メモリの非限定的な例には、揮発性メモリ（ランダムアクセスメモリ（ＲＡＡＭ）、ダイナミックランダムアクセスメモリ（ＤＲＡＭ）等）、不揮発性メモリ（例えば、読み取り専用メモリ（ＲＯＭ）、電気的消去可能プログラム可能な読み取り専用メモリ（ＥＥＰＲＯＭ）、コンパクトディスク読み取り専用メモリ（ＣＤ−ＲＯＭ）等）、永続的なメモリ等がある。さらに、メモリのその他の非限定的な例には、消去可能プログラマブル読み取り専用メモリ（ＥＰＲＯＭ）、フラッシュメモリ等がある。
【００５５】
着脱可能ユニットで用いられるセンサー又は検知回路６０１の種類は、美容機器の種類、より具体的には、用いられる着脱可能ユニットの種類によって異なる。
【００５６】
図１に示されるパーソナル美容機器１００に関する上記の実施形態は、三頭マッサージアプリケータを用いてユーザーの肌をマッサージ及び／又は洗浄するために使用される。したがって、センサーと検知回路の種類は、ユーザーの肌の肌分析を実行するための種類のものとできる。
【００５７】
例えば、ユーザーの肌の水分レベルを検出するために、ある種類のセンサーが、使用される。そのようなセンサーは、ユーザーの皮膚に電流を流すことにより動作可能なものとでき、センサーがユーザーの皮膚の抵抗／インピーダンスを測定し、ユーザーの皮膚における電解質濃度を評価できる。
【００５８】
ユーザーの肌の色素沈着を検出するために、別の種類のセンサーが、使用される。このようなセンサーは、交差偏光、ＵＶ画像のキャプチャ等を使用することによって動作する。
【００５９】
他の種類のセンサーは、皮膚の光損傷、毛穴サイズ、皮脂濃度、及び、大気汚染、ＵＶレベル等の潜在的な環境要因を評価することができる。
【００６０】
図７Ａは、上記のパーソナル美容機器１００とクライアントデバイス７２０とを含むシステム７００を示す。一実施形態において、パーソナル美容機器１００は、クライアントデバイス７２０と無線信号７１０で通信する。一実施形態において、クライアントデバイス７２０は、ソフトウェアアプリケーション又はソフトウェアモジュールのセットを操作して、パーソナル美容機器１００に通信を送信し、かつ、パーソナル美容機器１００から通信を受信するように構成される。一実施形態において、ソフトウェアアプリケーションは、プロトコル又はターゲットプロファイルをパーソナル美容機器１００に送信することができ、また、パーソナル美容機器１００からデータを受信して、リアルタイムで使用状況を追跡することができる。
【００６１】
図７Ｂは、モバイルデバイス７２２、ウェアラブル電子デバイス７２４、テレビ又はマジックミラー７２６、ネットワークルーター７２８、及びパーソナルコンピューター７２９を含む、クライアントデバイス７２０の異なる実施形態を示す。
【００６２】
無線信号１１０は、ＷｉＦｉ、Ｂｌｕｅｔｏｏｔｈ（登録商標）、近接場を含む電磁信号等の任意の適切な信号、又は光及び音等の他の任意の信号とできる。機器を含む各クライアントデバイスは、８０２．１１ワイヤレス接続を介したワイヤレスインターネットアクセスポイントへのインターネット接続、又はイーサネット（登録商標）インターフェイスを介する等のインターネットアクセスポイントへの物理接続を介して、互いに通信することができる。接続された各デバイスは、Ｂｌｕｅｔｏｏｔｈ（登録商標）接続又は他の無線手段等を介する等、他のデバイスとの無線通信を実行することができる。
【００６３】
図７Ｃは、一実施形態に係る、パーソナル美容機器１００の最適な性能を促進するシステム７５０の一例を表す図である。システム７５０は、少なくともパーソナル美容機器１００とクライアントデバイス７２０を含む。システム７５０は、任意で、クラウドコンピューティング環境の一部として実現され、インターネットを介してシステム７５０と通信する、１つ又は複数の外部サーバー７４２をさらに含むことができる。１つ又は複数の外部サーバー７４２は、ユーザーデータ、製剤等の製品、プロトコル及びルーチン、チュートリアル、一実施形態に係る他の第三者のサービスをも保存することができる。
【００６４】
クライアントデバイス７２０は、一実施形態では、ユーザーによるパーソナル美容機器の使用に関する情報を収集し、ユーザーに出力を供するように構成される。クライアントデバイスのオペレーティングシステムは、複数の機能を実行するように構成されたユーザーインターフェイスを備えることができる。一態様においては、クライアントデバイスはネットワークと通信し、ユーザーインターフェイスが、インターネット及びモノのインターネット（ＩＯＴ）にアクセスできるようにすることができる。理解できるように、ネットワークは、インターネット等のパブリックネットワーク、又はＬＡＮ若しくはＷＡＮネットワーク等のプライベートネットワーク、又はこれらの任意の組み合わせとすることができ、ＰＳＴＮ又はＩＳＤＮサブネットワークも含むことができる。ネットワークは、イーサネット（登録商標）ネットワーク等の有線とすることもでき、ＥＤＧＥ、３Ｇ、及び４Ｇワイヤレスセルラーシステムを含む、セルラーネットワーク等の無線とすることもできる。無線ネットワークは、ＷｉＦｉ、Ｂｌｕｅｔｏｏｔｈ（登録商標）、又はその他の既知の無線形式の通信とすることもできる。一実施形態において、ネットワークは、メディア、プロトコル、製品、個人アカウント、保存された使用データ、及び機器、ブラシヘッド、スキンケアに関連するその他のデータをホストするサーバーにアクセスできる。
【００６５】
ユーザーインターフェイスは、パーソナル美容機器の使用方法に関するチュートリアルを表示することができる。クライアントデバイスは、ユーザーインターフェイスに表示することができるレジメン又はルーチンについてのプロトコルを、作成及びダウンロードすることができる。ユーザーインターフェイスは、使用状況を監督、追跡し、追跡した使用状況をプロトコル、レジメン、及びルーチンと比較することができる。ユーザーインターフェイスは、追跡した使用状況に基づいてスコアを計算することができる。ユーザーインターフェイスは、パーソナルスコアと追跡された美容機器の使用状況をクライアントデバイスのメモリに保存することができる。ユーザーインターフェイスは、パーソナル美容機器に関連する任意の製品を購入するのに用いることができる。例えば、パーソナル美容機器は、ユーザーの肌や髪のトリートメントのために用いられるスタイリング製品又は化学組成物と組み合わせて使用することができる。クライアントデバイスは、ユーザーが入力した所望の結果に基づいて、使用する特定の製品について、及びそれらをプロセスのどのステップで用いるかについて、推奨事項を出力することができる。
【００６６】
最初のステップとして、クライアントデバイスは任意で、ユーザーの特性（着脱可能ユニットのセンサーによって分析される、皮膚のトーン、水分レベル又は色素沈等）及び使用パターンに関する情報を収集することができる。クライアントデバイスは、調査結果をローカルに保存するか、外部システム又はサーバーに接続して、データベース又は調査結果にアクセスすることができる。
【００６７】
ユーザーは、目標の外観を実現するために、パーソナル美容機器の使用に関するチュートリアルにアクセスすることもできる。チュートリアルは、テキスト形式、静止画像形式、ビデオ形式、又は音声のみの形式とすることができる。
【００６８】
チュートリアルの使用に加えて、ユーザーは、クライアントデバイス７２０を、無線接続（Ｂｌｕｅｔｏｏｔ又はＷｉ−Ｆｉ接続等）を介して、パーソナル美容機器に接続して、パーソナル美容機器の使用中にリアルタイムのフィードバックを受信するか、又は、後のレポート若しくはフィードバックのために、パーソナル美容機器の使用状況を記録することができる。
【００６９】
例えば、パーソナル美容機器の使用中に、パーソナル美容機器のモーションセンサーは、パーソナル美容機器の検出モーションをクライアントデバイスへフィードバックとして出力することができる。クライアントデバイスは、ユーザーにリアルタイムのパフォーマンス結果を供するために、検知されたモーションを、所定のモーションデータと比較するよう構成されるか、又は、ユーザーに修正を行うための指示を出力するように構成される。
【００７０】
クライアントデバイスは、顧客プロファイルへの入力を行うために用いることができるカメラ機能を備えることもできる。たとえば、カメラはユーザーの肌の画像を撮影して、視覚データに基づいてユーザーの肌の状態を判断するか、又は、肌の特性に基づいてユーザーにさらに提案することができる。
【００７１】
クライアントデバイスは、ユーザーに関するデータを外部システ又はサーバー（クラウドベースのシステ等）にアップロードするように構成される。そのようなデータには、ユーザープロファイル、パーソナル美容機器の使用量、又はパーソナル美容機器の使用時のパフォーマンス結果が含まれる。クライアントデバイスは、ユーザーデータを匿名に保つという選択肢も提供することができる。
【００７２】
クライアントデバイスは、カメラ機能を用いて共有機能を提供することができる。この機能では、ユーザーはパーソナル美容機器の使用前及び／又は使用後に撮影した写真を、アップロードすることができる。アップロードされた写真は、皮膚（又はヘア）トリートメント業界の専門家や他のユーザーからフィードバックを受け取るために用いることができる。一実施形態において、アップロードした写真は、ソーシャルメディアプラットフォームに直接アップロードすることができる。
【００７３】
さらに、パーソナル美容機器１００のメインユニット又は着脱可能ユニットの回路は、メインユニット又は着脱可能ユニットと、離れた箇所にある企業が互いを識別し、一つ又は複数の事前共有キーをネゴシエートできるようにするディスカバリプロトコルを作動するように構成されてもよい。これにより、さらに、メインユニット又は着脱可能ユニットと、リモートネットワークが、暗号化かつ匿名化された情報を交換できる。ディスカバリプロトコルにより、メインユニット又は着脱可能ユニットと、リモートネットワークとは、着脱可能ユニットに含まれるアプリケータの種類に応じて、トリートメントレジメン情報を、さらに交換することができる。
【００７４】
さらに、着脱可能ユニット通信インターフェイスの回路は、リモートデバイスが外部からアプリケータと着脱可能ユニットの動作を制御できるように、リモートネットワークと制御コマンドを交換するように構成できる。着脱可能ユニットの回路は、さらに、上記のクライアントデバイス又は別のリモートデバイスと診断情報を交換するように構成することができる。このような接続を図７Ｄに示す。これにより、クライアントデバイスとの間の通信パス７５０は、メインユニットと着脱可能ユニットの通信インターフェイスを介して、パーソナル美容機器のメインユニットを通って、着脱可能ユニットまで直接渡される。このような接続により、データが着脱可能ユニットまで通過するようにマークされている場合、メインユニットが、受信したデータを不必要に処理することを回避することができる。これにより、クライアントデバイスと着脱可能ユニット間の、データ又はプロトコルを、メインユニットに対して透過的にすることもできる。これより、メインユニットが、データのペイロードに埋め込まれた特定の種類のデータ又はプロトコルを処理するソフトウェアを、認識しない場合又は有しない場合であっても、新しいバージョン又は所有のバージョンの着脱可能ユニットを使用できる場合がある。
【００７５】
図８−１０は、システム内の様々なコンポーネントによって実行され得る、様々なプロセスとアルゴリズムの例を示している。
【００７６】
図８は、着脱可能ユニットの回路によって実行される方法を示す。ステップ８０１において、センサー回路は、センサーからデータを受信する。センサーから受信したデータは、上記の異なる種類のセンサーのいずれか１つに係るデータとできる。センサーから受信したデータは、ステップ８０２で着脱可能ユニットのメモリに保存することができる。ステップ８０３においては、データは、メモリから取得され、メインユニットインターフェイス（ピンコネクタ２０８）を介して、メインユニットに送信される。ステップ８０２は任意であり、センサー回路は、データがセンサーから受信されるように、メインユニットインターフェイスを介して、メインユニットにデータを直接送信できる。
【００７７】
図９Ａ及び９Ｂは、メインユニットの回路によって実行される様々な方法を示している。図９Ａは着脱可能ユニットから受信したデータを、外部クライアントデバイスに送信するときに実行される方法を表し、図９Ｂはメインユニットがパーソナル美容機器でユーザーに情報を、直接出力するときに実行する方法を表す。ステップ９０１ａと９０１ｂの両方において、メインユニットの回路（プロセッサ５０１等）は、ピン３０１を介して、着脱可能ユニットインターフェイスからデータを受信する。ステップ９０２ａと９０２ｂの両方において、回路はメモリ５０３にデータを保存する。ステップ９０３ａにおいて、回路は、通信インターフェイス（外部通信Ｉ／Ｆ５０４等）を介してクライアントデバイスにデータを送信する。一方、ステップ９０３ｂにおいては、回路は出力インジケータ５０５及び／又はユーザーインターフェイス５０６を介して保存されたデータに基づいて、ユーザーに対する直接の情報の出力を制御する。
【００７８】
図１０は、例えば、メインユニットが図９の方法に従って、クライアントデバイスにデータを送信する場合に、クライアントデバイスの回路によって実行される方法を示す。ステップ１００１では、クライアントデバイスの回路は、パーソナル美容機器からデータを受信する。これは、上記したような、パーソナル美容機器との通信接続を持つクライアントデバイスの、有線又は無線の通信インターフェイスを介して行われる。ステップ１００２では、クライアントデバイスの回路は、クライアントデバイスのメモリにデータを保存してもよい。ステップ１００３では、クライアントデバイスの回路は、クライアントデバイスのディスプレイを介して、保存されたデータに基づいて、情報をユーザーに出力する。
【００７９】
図１０Ｂは、クライアントデバイスの回路によって実行される追加プロセスを示す。ステップ１００４では、クライアントデバイスは、ユーザー又はアプリケーションから入力を受け取ることができる。例えば、ユーザーからの入力は、パーソナル美容機器１００の動作に関するコマンド又は制御入力とできる。または、入力は、ユーザーの代わりに、クライアントデバイス上のアプリケーションによってなされる場合がある。ステップ１００５においては、データ（コマンド及び制御データ等）は、ユーザー又はアプリケーションから受信した入力に基づいて、パーソナル美容機器１００に送信される。例えば、コマンドや制御コマンドは、パーソナル美容機器の着脱可能ユニットのセンサーから検知されたデータに基づいて、アプリケーションによって生成され入力される場合がある。ステップ１００５では、ユーザー又はアプリケーションから受信した入力に基づいて、データ（コマンド及び制御データ等）がパーソナル美容機器１００に送信される。
【００８０】
図１０Ｃは、ステップ１００６でクライアントデバイスからデータを受信したときに、パーソナル美容機器のメインユニットによって実行されるプロセスを示す。ステップ１００７では、メインユニットは、データがメインユニットによって処理されることを意図した種類のものかどうかを判断し、そうである場合、ステップ１００８でメインユニットによって処理される。例えば、データがパーソナル美容機器にアラートとして表示されることを意図した表示データである場合、メインユニットは、例えば、上記の表示装置１６０に出力するために、そのようなデータを処理する。または、データは、メインユニットのモーターの動作を制御するコマンド、パーソナル美容機器の電源をオフにするコマンド、又はメインユニットのメモリに保存されているデータを取得するコマンド等のコマンド又は制御データとできる。それ以外の場合、データは着脱可能ユニットに送信され、そこで着脱可能ユニットの回路がデータを処理するであろう。例えば、データが着脱可能ユニットのセンサーに関連するコマンド又は制御データである場合、データを処理してセンサーの制御又はキャリブレーションを実行できる。あるいは、コマンド又は制御データは、着脱可能ユニットのメモリに保存されているデータを取得するためのものとできる。このシナリオは、上記の図７Ｄの説明に関連する。
磁気コネクタの実施形態
【００８１】
上記の実施形態において、着脱可能ユニットとパーソナル美容機器のメインユニットとの間の接続は、ピンコネクタ２０８とインターフェイス接続するピン３０２によってなされる。しかしながら、これらの部品のいずれかが時間の経過とともに劣化する場合があり、これらの要素のいずれかが損傷したり歪んだりすると、接続できない結果となる可能性がある。したがって、図１１Ａ及び１１Ｂは、磁気的接続メカニズムによる、着脱可能ユニットとメインユニットとの間の代替接続メカニズムを示す。
【００８２】
図１１Ａは、上記の図４と同様に、メインユニットの収容ユニット１１０２と接続した状態の着脱可能ユニット１１０１の断面を示す。図２０４において説明した要素と同様の要素は、図１１Ａを参照して詳細な説明することを要さないであろう。着脱可能ユニット１１０１は、カウンターウェイト１１０３とインターフェイス部１１０５とともに示される。インターフェイス部は、ソケット１１０６を備えるように示され、それを貫通してスリーブ導体１１０７が配置される。上部磁石１１０８が、スリーブ導体に設けられている。スリーブ導体の底部は、スリーブ導体とソケットの内面との間に配置されたコイル１１１０が静止しているとき、ソケット１１０６の開口部１１０９と同一平面内に留まるように構成される。
【００８３】
図１１の収容ユニット１１０２は、上部支持体１１１１を含み、それを貫通して、下部磁石１１１２が配置される。下部磁石は、上部支持体１１１１の内面に対して配置され、メインユニットのプロセッサに接続するワイヤ（図示せず）に取り付けられる、導電性要素１１１３と接続される。
【００８４】
図１１Ｂは、着脱可能ユニットの上部磁石と、収容ユニットの下部磁石とが互いに近接すると、磁力により着脱可能ユニットの磁石とスリーブ導体が下向きに移動し（矢印により示されるように）、さらに開口部１１０９を通り、下部磁石に接触する。この接触は電気的接続を形成する。
【００８５】
当然、上記の教示に照らして、本発明の多く変形及び変更が可能である。したがって、添付の特許請求の範囲内において、本明細書に具体的に記載されるものとは別の方法で、本発明を実施できることを理解されよう。
【図１Ａ】
2020519051.tif 000003
【図１Ｂ】
2020519051.tif 000004
【図２Ａ】
2020519051.tif 000005
【図２Ｂ】
2020519051.tif 000006
【図３】
2020519051.tif 000007
【図４】
2020519051.tif 000008
【図５】
2020519051.tif 000009
【図６Ａ】
2020519051.tif 000010
【図６Ｂ】
2020519051.tif 000011
【図７Ａ】
2020519051.tif 000012
【図７Ｂ】
2020519051.tif 000013
【図７Ｃ】
2020519051.tif 000014
【図７Ｄ】
2020519051.tif 000015
【図８】
2020519051.tif 000016
【図９Ａ】
2020519051.tif 000017
【図９Ｂ】
2020519051.tif 000018
【図１０Ａ】
2020519051.tif 000019
【図１０Ｂ】
2020519051.tif 000020
【図１０Ｃ】
2020519051.tif 000021
【図１１Ａ】
2020519051.tif 000022
【図１１Ｂ】
2020519051.tif 000023
【国際調査報告】
2020519051.tif 000024
2020519051.tif 000025
2020519051.tif 000026
2020519051.tif 000027
2020519051.tif 000028